(57)【特許請求の範囲】
【請求項１】
複数の貯水槽が分散して設置され、該複数の貯水槽の上部間が水封された連結管を介して相互に連結され、該連結管を介して前記複数の貯水槽相互間でサイホン作用により水がやり取り可能とされている貯水システムであって、
前記複数の貯水槽のうちの、ある貯水槽の上部に、補助貯水槽が設けられており、
前記ある貯水槽と前記補助貯水槽との間が水封された連結管を介して相互に連結され、該連結管を介して前記ある貯水槽と前記補助貯水槽相互間で水がやり取り可能に構成されていることを特徴とする貯水システム。
【請求項２】
前記複数の貯水槽を連結する前記連結管には複数の取水栓が設けられ、該取水栓を介して前記貯水槽内から水を取り出し可能とされていることを特徴とする請求項１に記載の貯水システム。
【発明の詳細な説明】
【技術分野】
【０００１】
本発明は、貯水システムに関し、特に、防災用水、環境用水（緑化灌水、道路散水等）に有効な貯水システムに関する。
【背景技術】
【０００２】
従来、地震後の都市火災等の大規模火災が発生した際に、交通の遮断等によって防火水槽へのアクセスが阻害され、防火水槽内の水を防火用水、環境用水（緑化灌水、道路散水等）等として使用できなかったり、使用できても十分な量の水が得られないという深刻な事態が生じたことがある。このため、通常時は勿論のこと、大規模火災等の災害発生時に、十分な量の水を供給できるシステムの開発が強く要望されている。
【０００３】
防火用水の供給システムの一例として、特許文献１には、いくつかの防火区画におけるほぼ中央の防火区画の地下に２層以上の構造の大型防火水槽を設けて、それらの防火区画の貯水量に相当する防火用水を貯水する一方、この大型防火水槽とその周辺の各防火区画の地下に設けた所要容量の小型防火水槽とを給水管により連結し、大型防火水槽の地下１階の貯水槽から所要の小型防火水槽に防火用水を自然流下により供給可能とした防火用水の供給方法が記載されている。
【特許文献１】特許第３２７８７６２号公報
【発明の開示】
【発明が解決しようとする課題】
【０００４】
ところで、上記のような構成の防火用水の供給方法にあっては、１つの大型防火水槽からネットワーク化した複数の小型防火水槽に給水管を介して防火用水を供給するように構成しているため、大型防火水槽が破壊等されて機能しなくなった場合に、各小型防火水槽に防火用水を供給することができなくなり、各防火区画に防火用水を供給することが困難になる。
【０００５】
本発明は、上記のような従来の問題に鑑みなされたものであって、地震後の都市火災等の大規模火災が発生しても、複数の街区相互間、複数の街区を有する地区相互間で水をやり取りすることができて、防火用水、環境用水等として利用するのに十分な量の水が得られる貯水システムを提供することを目的とする。
【課題を解決するための手段】
【０００６】
上記のような課題を解決するために、本発明は、以下のような手段を採用している。
すなわち、請求項１に係る発明は、複数の貯水槽が分散して設置され、該複数の貯水槽の上部間が水封された連結管を介して相互に連結され、該連結管を介して前記複数の貯水槽相互間でサイホン作用により水がやり取り可能とされている貯水システムであって、 前記複数の貯水槽のうちの、ある貯水槽の上部に、補助貯水槽が設けられており、前記ある貯水槽と前記補助貯水槽との間が水封された連結管を介して相互に連結され、該連結管を介して前記ある貯水槽と前記補助貯水槽相互間で水がやり取り可能に構成されていることを特徴とする。
【０００７】
本発明による貯水システムによれば、複数の貯水槽の上部間は水封された連結管を介して相互に連結され、複数の貯水槽相互間で連結管を介してサイホン作用により水がやり取り可能となるので、例えば、複数の街区からなる地区に適用し、各街区にそれぞれ貯水槽を設置し、複数の街区の貯水槽相互間を連結管を介して連結することにより、街区の貯水槽相互間で連結管を介して水をやり取りすることができる。従って、大規模火災等の際に、対象箇所の貯水槽に他の貯水槽から十分な量の水を補給することができるので、火災等に対応するのに十分な量の水を得ることができる。
また、貯水槽と補助貯水槽との間で連結管を介して相互に水をやり取りすることができるので、通常時に、補助貯水槽内の水を灌水、道路散水用等の環境用水として使用することができる。
【０００８】
請求項２に係る発明は、請求項１に記載の貯水システムであって、前記複数の貯水槽を連結する前記連結管には複数の取水栓が設けられ、該取水栓を介して前記貯水槽内から水を取り出し可能とされていることを特徴とする。
【０００９】
本発明による貯水システムによれば、複数の貯水槽を連結する連結管に複数の取水栓が連結され、この複数の取水栓を介して貯水槽から水を取り出すことができる。従って、火災等が発生した際に、発生地に近接する取水栓を使用することにより、火災等に早急に対応することができる。
【発明の効果】
【００１４】
以上、説明したように、本発明の請求項１に記載の貯水システムによれば、複数の貯水槽の上部間は水封された連結管を介して相互に連結され、複数の貯水槽相互間で連結管を介してサイホン作用により水がやり取り可能となるので、例えば、複数の街区からなる地区に適用し、各街区にそれぞれ貯水槽を設置して、複数の街区の貯水槽相互間を連結管を介して連結することにより、街区の貯水槽相互間で連結管を介して水をやり取りすることができる。従って、大規模火災等の際に、交通が遮断される等のトラブルが発生しても、対象箇所の貯水槽に十分な量の水を供給することができるので、火災等に対応するのに十分な量の水を得ることができる。
また、貯水槽と補助貯水槽との間で連結管を介して相互に水をやり取りすることができるので、通常時に、補助貯水槽内の水を灌水、道路散水用等の環境用水として使用することができる。
【００１５】
また、本発明の請求項２に記載の貯水システムによれば、複数の貯水槽を連結する連結管に複数の取水栓が連結され、この複数の取水栓を介して貯水槽から水を取り出すことができるので、火災等の発生地に近接する取水栓を使用することにより、火災等に早急に対応することができる。
【発明を実施するための最良の形態】
【００１８】
以下、図面に示す本発明の実施の形態について説明する。
図１〜図３には、貯水システムの第１の参考例が示されていて、この貯水システム１は、複数の街区３からなる地区２の街区３相互間、複数の街区３からなる地区２相互間等で水を相互にやり取りする場合等に適用可能なものであって、複数の貯水槽５と、貯水槽５相互間を連結する連結管１０とを備えている。
【００１９】
地区２は、図１に示すように、複数の街区３が碁盤の目状に設けられ、各々の街区３を四方から囲むように道路４が縦横に設けられ、各街区３の四隅に対応する道路４の部分（道路４が交差する部分）にそれぞれ貯水槽５が設けられ、各街区３の隣接する貯水槽５相互間、及び隣接する街区３の隣接する貯水槽５相互間が、各道路４に沿って格子状に敷設される連結管１０を介して連結されている。なお、複数の街区３の形状は、碁盤の目状に限らず、他の周知の各種の形状とすることができる。
【００２０】
この場合、全ての街区３の貯水槽５相互間を連結管１０を介して連結せずに、一部の街区３のみの貯水槽５相互間を連結管１０を介して連結するようにしてもよい。例えば、図２に示すように、左上の４つの街区３の隣接する貯水槽５相互間、左下の１つの街区３の隣接する貯水槽５相互間、右上の２つの街区３の隣接する貯水槽５相互間、右下の４つの街区３の隣接する貯水槽５相互間を連結管１０を介して連結するようにしてもよい。
【００２１】
各貯水槽５は、図３に示すように、円筒状、角筒状等に形成される側壁６と、側壁６の下端開口部を閉塞する底板７と、側壁６の上端開口部を閉塞する上蓋８とからなり、内部に密閉された貯水室９が設けられ、この貯水室９内に地下水、上水、雨水等の水が貯留される。各貯水槽５は、コンクリート、プラスチック、鋼板、シート等から形成される。
【００２２】
各貯水槽５は、各街区３の四隅に対応する道路４の地下部分に底板７又は上蓋８が同一レベルとなるように垂直に設置され、隣接する貯水槽５の側壁６の上部間が連結管１０を介して相互に連結され、この連結管１０を介して隣接する貯水槽５相互間で水が流通するように構成されている。なお、各貯水槽５は、地上部に設けてもよいし、櫓等を介して空中部に設けてもよい。
【００２３】
各連結管１０は、隣接する貯水槽５間に水平に設けられるとともに、両端部が両貯水槽５の側壁６を水平方向から貫通して貯水室９内に突出し、貯水室９内で垂直方向下方に屈曲されて側壁６の内面に沿って下降し、下端が貯水室９の底部に達している。
【００２４】
各貯水槽５には、少なくとも２本の連結管１０が連結され、そのうちの１本の連結管１０の屈曲部には分岐管１１が垂直に連結され、この分岐管１１は貯水槽５の上蓋８を貫通して上方に向かって地上にまで達し、分岐管１１の地上に近接する部分に分岐管１１を開閉する取水栓１２が設けられている。
【００２５】
複数の貯水槽５のうち、少なくとも１つの貯水槽の５下部には供給管１３が連結され、この供給管１３には開閉バルブ１４を介してポンプ１５が接続され、ポンプ１５の作動により供給管１３を介して貯水室９内に地下水、上水等の水が供給される。供給管１３は、貯水槽５の下部に限らず、上部又は中間部に連結してもよい。貯水槽５の上部には、地上と貯水槽５との間を連結する雨水管１６が連結され、この雨水管１６を介して地上から貯水槽５の貯水室９内に雨水が供給される。
【００２６】
そして、上記のような構成の貯水システム１のポンプ１５を作動させて、供給管１３を介して貯水槽５の貯水室９内に地下水、上水等の水を供給し、この貯水槽５から連結管１０を介して各貯水槽５内に水を供給する。この場合、地上から取水栓１２を介して各貯水槽５内に水を供給するようにしてもよい。
【００２７】
そして、各貯水槽５の取水栓１２から分岐管１１を介して各連結管１０内に呼び水を供給して各連結管１０を水封することにより、各連結管１０を介して貯水槽５相互間でサイホン作用により水のやり取りが行われ、各貯水槽５の貯水室５内の水面のレベルが一定となる。
【００２８】
そして、何れかの街区３において火災等が発生した場合には、その街区３の貯水槽５の取水栓１２を介して貯水槽５の貯水室９内から水を取り出すことにより、防火用水、環境用水等として使用することができる。
【００２９】
この場合、この街区３の貯水槽５は、他の街区３の貯水槽５と水封された連結管１０を介して相互に連結されているので、使用した分だけの水が他の貯水槽５からサイホン作用により連結管１０を介して補給されることになる。
【００３０】
従って、火災等の発生によって交通が遮断されても、対象となる街区３の貯水槽５には連結管１０を介して他の街区３から水が補給され続けることになるので、防火用水、環境用水等として十分な量の水を得ることができる。
【００３１】
図４には、貯水システムの第２の参考例が示されていて、この貯水システム１は、隣接する貯水槽５間に配置される連結管１０の部分の複数箇所に地上に向けて分岐管１１を設け、各分岐管１１の地上に近接する部分に取水栓１２をそれぞれ設け、各取水栓１２を介して各貯水槽５の貯水室９内から水を取り出し可能としたものであって、その他の構成は前記第１の参考例に示すものと同様である。
【００３２】
そして、この参考例に示す貯水システム１にあっても、前記第１の参考例に示すものと同様に、火災等の発生によって交通が遮断されても、対象となる街区３の貯水槽５には連結管１０を介して他の街区３から水が補給され続けることになるので、防火用水、環境用水等として十分な量の水を得ることができる。
【００３３】
また、隣接する貯水槽５間に設けられている連結管１０の複数箇所に取水栓１２を設けているので、道路４上の複数箇所で取水栓１２を介して貯水槽５の貯水室９から水を取り出すことができる。従って、火災等の発生時に、発生箇所に近い位置の取水栓１２から水を取り出すことができるので、火災等に早急に対応することができる。
【００３４】
図５には、貯水システムの第３の参考例が示されていて、この貯水システム１は、傾斜地、凹凸地等に適用したものであって、その他の構成は前記第１の参考例に示すものと同様である。
【００３５】
すなわち、この参考例においては、傾斜地、凹凸地等の地下部に同一レベルとなるように複数の貯水槽５を垂直に設置し、地表又は地表に近い地中の部分に、地表に沿って連結管１０を敷設し、連結管１０を介して隣接する貯水槽５相互間を連結したものであって、その他の構成は前記第２の参考例に示すものと同様である。なお、貯水槽５を、傾斜地、凹凸地等の地上部に設けてもよいし、櫓等を介して空中部に設けてもよい。
【００３６】
そして、この参考例に示す貯水システム１にあっても、前記第１、第２の参考例と同様に、火災等の発生によって交通が遮断されても、対象となる街区３の貯水槽５には連結管１０を介して他の街区３から水が補給され続けることになるので、防火用水、環境用水等として十分な量の水を得ることができる。
【００３７】
また、隣接する貯水槽５間に設けられている連結管１０の複数箇所に取水栓１２を設けているので、道路４上の複数箇所で取水栓１２を介して貯水槽５から水を取り出すことができる。従って、火災等の発生時に、発生箇所に近い位置の取水栓１２から水を取り出すことができるので、火災等に早急に対応することができる。
【００３８】
さらに、連結管１０を地表又は地表に近い地下の部分に設けているので、傾斜地、凹凸地等であっても、取水栓１２部分の掘削工事を簡略化することができ、工事費を削減することができる。
【００３９】
図６には、本発明による貯水システムの実施の形態が示されていて、この貯水システム１は、傾斜地、凹凸地等に適用し、貯水槽５の上部に余裕空間を形成することが可能な場合に、その余裕空間を利用して補助貯水槽１７を設け、この補助貯水槽１７とその下方の貯水槽５との間を水封された連結管１８を介して相互に連結し、連結管１８の途中にポンプ１９及び開閉バルブ２０を設けたものであって、その他の構成は前記第３の参考例に示すものと同様である。なお、補助貯水槽１７にも地上に通じる分岐管１１が連結され、分岐管１１の地上に近接する部分に取水栓１２が設けられている。
【００４０】
そして、この実施の形態による貯水システム１にあっても、前記第３の参考例に示すものと同様に、火災等の発生によって交通が遮断されても、対象となる街区３の貯水槽５には連結管１０を介して他の街区３から水が補給され続けることになるので、防火用水、環境用水等として十分な量の水を得ることができる。
【００４１】
また、隣接する貯水槽５間に設けられている連結管１０の複数箇所に取水栓１２を設けているので、道路４上の複数箇所で取水栓１２を介して貯水槽５から水を取り出すことができる。従って、火災等の発生時に、発生箇所に近い位置の取水栓１２から水を取り出すことができるので、火災等に早急に対応することができる。
【００４２】
さらに、連結管１０を地表又は地表に近い地下の部分に設けているので、傾斜地、凹凸地等であっても、取水栓１２部分の掘削工事を簡略化することができ、工事費を削減することができる。
【００４３】
さらに、貯水槽５の上部の余裕空間内に補助貯水槽１７を設けて、補助貯水槽１７と貯水槽５との相互間で連結管１８、ポンプ１９及び開閉バルブ２０を介して水のやり取りができるように構成しているので、通常時に、補助貯水槽１７を灌水や道路散水等の環境用水として使用することが可能となる。なお、貯水槽５及び補助貯水槽１７を地上部に設けてもよいし、櫓等を介して空中部に設けてもよい。
【図面の簡単な説明】
【００４４】
【図１】貯水システムの適用例の一例を示した概略図である。
【図２】貯水システムの適用例の他例を示した概略図である。
【図３】貯水システムの第１の参考例を示した概略図である。
【図４】貯水システムの第２の参考例を示した概略図である。
【図５】貯水システムの第３の参考例を示した概略図である。
【図６】本発明による貯水システムの実施の形態を示した概略図である。
【符号の説明】
【００４５】
１    貯水システム      ２    街区              ３    地区
４    道路              ５    貯水槽            ６    側壁
７    底板              ８    上蓋              ９    貯水室
１０  連結管            １１  分岐管            １２  取水栓
１３  供給管            １４  開閉バルブ        １５  ポンプ
１６  雨水管            １７  補助貯水槽        １８  連結管
１９  ポンプ            ２０  開閉バルブ
【図３】
0004525504.tif 000002
【図４】
0004525504.tif 000003
【図５】
0004525504.tif 000004
【図６】
0004525504.tif 000005
【図１】
0004525504.tif 000006
【図２】
0004525504.tif 000007